(57)【要約】【課題】液晶表示装置に装着される複数の蛍光灯を簡単な工程によって液晶表示装置のフレームに固定することができる一体型バックライト蛍光灯固定ユニットを提供する。【解決手段】一体型バックライト蛍光灯固定ユニットは、金属材質からなる長方形の基底板と基底板上に一定間隔に離隔しかつ上部に突出するように形成される複数の接触端子とで構成される導電性ベースと、導電性ベースの上部に装着され、導電性ベースの接触端子の位置する部位に切開口が複数形成された蓋と、で構成され、切開口を貫通する蛍光灯接続線が電気的に接続され、導電性ベースと蛍光灯の接続線とが電気的に接続される構成を有する。このような構成により、液晶表示装置に装着される複数の蛍光灯を簡単な工程によって液晶表示装置のフレームに固定させることができる。【選択図】図３
2008210807.tif 000002
【特許請求の範囲】
【請求項１】
金属材質からなる長方形の基底板と前記基底上に一定間隔に離隔し且つ上部に突出するように形成される複数の接触端子とで構成される導電性ベースと、
前記導電性ベースの上部に装着され、前記導電性ベースの接触端子の位置する部位に切開口が複数形成された蓋と、
で構成され、前記切開口を貫通する蛍光灯接続線が前記接触端子に装着されて前記導電性ベースと前記蛍光灯の接続線とが電気的に接続されることを特徴とする一体型バックライト蛍光灯固定ユニット。
【請求項２】
前記導電性ベースの長手方向の両側部の端部が「コ」の字形状に折り曲げられて形成され前記基底板により互いに連結される一対の側面フレームをさらに有し、
前記複数の接触端子は前記基底板を上部に折り曲げられて形成され、
前記一対の側面フレームと前記前記基底板と前記複数の接触端子とが一体に形成されることを特徴とする請求項１に記載の一体型バックライト蛍光灯固定ユニット。
【請求項３】
前記側面フレームの側面には、突起溝が一定間隔に離隔するように複数形成されることを特徴とする請求項２に記載の一体型バックライト蛍光灯固定ユニット。
【請求項４】
前記各接触端子は、上部に開口される接触溝が形成され、前記接触溝の両側面には一対の案内板が形成されることを特徴とする請求項１に記載の一体型バックライト蛍光灯固定ユニット。
【請求項５】
前記一対の案内板は互いに傾くように形成され、前記接触溝の下部には切開線が形成されることを特徴とする請求項４に記載の一体型バックライト蛍光灯固定ユニット。
【請求項６】
前記蓋は、長い形状の上部板と前記上部板の長手方向の両側面の端部が下方に折り曲げられるように形成される第１側面板と第２側面板とで構成され、前記第１側面板には複数の切開口が形成されることを特徴とする請求項１ないし請求項５のいずれに記載の一体型バックライト蛍光灯固定ユニット。
【請求項７】
前記蓋は、合成樹脂によって成型されることを特徴とする請求項６に記載の一体型バックライト蛍光灯固定ユニット。
【請求項８】
前記接触端子の案内板と対応する前記上部板の下部面には前記案内板を囲む形状からなる圧着板が更に形成されることを特徴とする請求項６に記載の一体型バックライト蛍光灯固定ユニット。
【請求項９】
前記圧着板の両側面には、前記上部板と一体で形成され、板形状の格板が更に形成されることを特徴とする請求項８に記載の一体型バックライト蛍光灯固定ユニット。
【請求項１０】
前記第１側面板と前記第２側面板との内側面には前記突起溝に対応する複数の突起が一定間隔に離隔するように形成されることを特徴とする請求項６に記載の一体型バックライト蛍光灯固定ユニット。
【発明の詳細な説明】
【技術分野】
【０００１】
本発明は、バックライト蛍光灯固定ユニットに係り、特に大型液晶テレビ（ＬＣＤ  ＴＶ）バックライトに用いられる蛍光灯（ＣＣＦＬ）を簡便に電線と接続させ、簡単な作業によって多量の蛍光灯を固定することができ、確実に電気的な接続が可能な一体型バックライト蛍光灯固定ユニットに関する。
【背景技術】
【０００２】
一般的に、ＬＣＤ  ＴＶは、高輝度が要求され、蛍光灯を多く用いることになるものの、一般的に３７インチ以下の液晶表示装置には外部電極蛍光灯（ＥＥＦＬ：Ｅｘｔｅｒｎａｌ  Ｅｌｅｃｔｒｏｄｅ  Ｆｌｕｏｒｅｓｃｅｎｔ  Ｌａｍｐ）を用い、３７インチ以上の大型液晶表示装置には冷陰極蛍光灯（ＣＣＦＬ：Ｃｏｌｄ  Ｃａｔｈｏｄｅ  Ｆｌｕｏｒｅｓｃｅｎｔ  Ｌａｍｐ）を用いている。
【０００３】
このような冷陰極蛍光灯を電線と接続させるためには、蛍光灯固定ユニットを用いている。従来技術による蛍光灯固定ユニットは、「バックライトランプ固定ソケット（特許文献１）」との名称として先出願されている。
【０００４】
しかし、先出願されたバックライトランプ固定ソケットは、一つの蛍光灯しか固定することができないという問題点がある。即ち、３７インチ以上になる大型液晶表示装置には、数十個の蛍光灯を設けることになるものの、従来技術によるランプ固定ソケットでは、それぞれの蛍光灯を固定しなければならないので、それぞれの蛍光灯をソケットに連結し、またそれぞれのソケットを表示装置のフレームに固定する複雑な作業が必要であるという問題点ある。
【特許文献１】大韓民国公開特許２００５−６６０１９号明細書
【発明の開示】
【発明が解決しようとする課題】
【０００５】
よって、本発明は、前述したような問題点を解決するために創案したものであって、本発明の目的は、液晶表示装置に装着される複数の蛍光灯を簡単な工程によって液晶表示装置のフレームに固定することができる一体型バックライト蛍光灯固定ユニットを提供することにある。
【課題を解決するための手段】
【０００６】
このような前記目的は、本発明によって達成され、本発明の一実施形態による一体型バックライト蛍光灯固定ユニットは、金属材質からなる長方形の基底板と基底板上に一定間隔に離隔し且つ上部に突出するように形成される複数の接触端子とで構成される導電性ベースと、導電性ベースの上部に装着され、導電性ベースの接触端子の位置する部位に切開口が複数に形成された蓋と、で構成され、切開口を貫通する蛍光灯接続線が接触端子に装着され、導電性ベースと蛍光灯の接続線とが電気的に接続されることを特徴とする。
【０００７】
一体型バックライト蛍光灯固定ユニットは、導電性ベースの長手方向の両側部の端部が「コ」の字形状に折り曲げられて形成され基底板により互いに連結される一対の側面フレームをさらに有し、基底板の上部に折り曲げられて形成される複数の接触端子は基底板の上部に折り曲げられて形成され、一対の側面フレームと基底板と複数の接触端子とが一体に形成されることを特徴とする。
【０００８】
また、側面フレームの側面には、突起溝が一定間隔に離隔するように複数形成されることを特徴とする。
【０００９】
本発明において、接触端子は、上部に開口される接触溝が形成され、接触溝の両側面には一対の案内板が互いに傾くように形成され、接触溝の下部には切開線が形成されることを特徴とする。
【００１０】
一体型バックライト蛍光灯固定ユニットの蓋は、長い形状の上部板と上部板の長手方向の両側面の端部が下方に折り曲げられるように形成される第１側面板と第２側面板とで構成され、第１側面板には複数の切開口が形成され、合成樹脂によって一体に形成されることを特徴とする。
【００１１】
本発明において、接触端子の案内板と対応する上部板の下部面には、案内板を囲む形状からなる圧着板が更に形成されることを特徴とする。
【００１２】
また、圧着板の両側面には、上部板と一体で形成され、板形状の格板が更に形成され、第１側面板と第２側面板との内側面には突起溝に対応する複数の突起が一定間隔に離隔するように形成されることを特徴とする。
【発明の効果】
【００１３】
本発明の前記のような構成によって、液晶表示装置に装着される複数の蛍光灯を簡単な工程によって液晶表示装置のフレームに固定することができる。
【発明を実施するための最良の形態】
【００１４】
以下、図面を参照して本発明の望ましい実施例を説明し、同一の部分には同一の図面符号を付与する。図１及び図２は、本発明の一実施形態による一体型バックライト蛍光灯固定ユニットの斜視図及び部分断面斜視図であり、図３は分解斜視図である。図４は図１のＡ−Ａ’に沿って見た断面図であり、図５は図１のＢ−Ｂ’に沿って見た断面図である
【００１５】
図示するように、図面符号１０に示した本発明による一体型バックライト蛍光灯固定ユニットは、導電性ベース３０及び蓋２０で構成される。
【００１６】
導電性ベース３０は、金属板材を切開し、多段に折り曲げて成型される。例えば、図３に示すように長方形の金属板材の長手方向の両側部の端部を「コ」の字状に折り曲げて一対の側面フレーム３３と基底板３１とを形成し、一対の側面フレーム３３の側面には一定間隔に離隔するように突起溝３５を形成して、後述する蓋２０の突起２８が装着されるようにする。
【００１７】
図３に示されるように、基底板３１には一対の接触端子４０が一定間隔に形成される。接触端子４０は、基底板３１を切開して折り曲げて形成されることが望ましいが、必要に応じて別途に製作し、基底板３１に溶接して固定してもよい。
【００１８】
図３の部分拡大図に示すように、接触端子４０は、一対の案内板４５に分岐し、それの間には、接触溝４１が形成され、接触溝４１の下端部には一定長さに切開線４３が形成される。接触溝４１には、蛍光灯１００の接続線１１０が装着される。そして、各接触端子４０の一対の案内板４５は互いに傾くように形成され、後述する圧着板２７によって互いに内側に押圧される。
【００１９】
そして、導伝性ベース３０の上部に装着される蓋２０は、合成樹脂によって成型されることが望ましいが、図示したように、蓋２０は長い板材形状の上部板２３と上部板２３の長手方向の両側面の端部を下方に折り曲げて形成される第１側面板２１と第２側面板２２とで構成される。
【００２０】
第１側面板２１は、複数の切開口２９が形成される形状である。図５に示すように蛍光灯１００の接続線１１０は、切開口２９を貫通して接触端子４０の接触溝４１に装着される。よって、切開口２９と隣接する切開口２９までの間隔は、接触端子４０同士の離隔した間隔と同一になる。切開口２９は、第１側面板２１のみならず、図２に示すように、上部板２３まで延長するように形成してもよい。
【００２１】
また、図２の部分切断図に示すように、蓋２０の上部板２３の下部面には圧着板２７が形成され、圧着板２７の断面は「コ」の字形状を有し、内側面はテーパ状に形成される。よって、圧着板２７によって接触端子４０の案内板４５が互いに内側に押圧されて、蛍光灯１００接続線１１０が接触溝４１に堅固に装着されるようにする（図４参照）。
【００２２】
図２の部分拡大図に示すように、蓋２０の第１側面板２１と第２側面板２２との内側面には複数の突起２８が互いに離隔されて形成され、導電性ベース３０の側面フレーム３３に形成された突起溝３５に装着されて、蓋２０が導電性ベース３０と結合されるようにする。
【００２３】
本発明による蛍光灯と一体型バックライト蛍光灯固定ユニットとの結合は、次に記述されるとおりである。図６ないし図８は、本発明の一実施形態による一体型バックライト蛍光灯固定ユニットの組立過程を説明する図である。まず、図６に示すように、蓋２０が開放された状態で露出される一対の接触端子４０に蛍光灯１００の接続線１１０をそれぞれ装着する（図５，７参照）。蛍光灯１００の接続線１１０が接触端子４０の接触溝４１に装着された後、蓋２０を上部から下部に密着させると第１側面板２１と第２側面板２２との内側面に形成された突起２８は、側面フレーム３３に形成された突起溝３５にそれぞれ装着され、且つ蓋２０が導電性ベース３０と結合し、接続線１１０は切開口２９に形成された隙間に装着される（図８参照）。
【００２４】
そして接触端子４０の一対の案内板４５は、圧着板２７によって互いに内側に押圧されるようになるので、接触溝４１に装着された接続線１１０は更に堅固に接触溝４１と結合する（図４参照）。
【００２５】
本発明の他の実施形態は、図９に示すように、圧着板２７の両側面に長方形の格板２５が更に形成される。格板２５は、上部板２３と一体に成型することができ、蓋２０が導電性ベース３０と結合すると、格板２５は一対の側面フレーム３３の上部と密着して蓋を支持する役割を果たす。
【００２６】
本発明による一体型バックライト蛍光灯固定ユニット１０は、図１０に示すように蛍光灯の両端部にそれぞれ結合して用いる。
【００２７】
以上、本発明の実施形態を詳細に説明したが、本発明はこれに限定されず、本発明が属する技術分野において通常の知識を有するものであれば本発明の思想と精神を離脱することなく、本発明を修正または変更できる。
【図面の簡単な説明】
【００２８】
【図１】本発明の一実施形態による一体型バックライト蛍光灯固定ユニットの斜視図である。
【図２】本発明の一実施形態による一体型バックライト蛍光灯固定ユニットの部分断面斜視図である。
【図３】本発明の一実施形態による一体型バックライト蛍光灯固定ユニットの分解斜視図及び部分拡大図である。
【図４】図１のＡ−Ａ’に沿って見た断面図である。
【図５】図１のＢ−Ｂ’に沿って見た断面図である。
【図６】本発明の一実施形態による一体型バックライト蛍光灯固定ユニットの組立過程を説明するための図である。
【図７】本発明の一実施形態による一体型バックライト蛍光灯固定ユニットの組立過程を説明するための図である。
【図８】本発明の一実施形態による一体型バックライト蛍光灯固定ユニットの組立過程を説明するための図である。
【図９】本発明の他の実施形態による一体型バックライト蛍光灯固定ユニットの断面図である。
【図１０】本発明の一実施形態による一体型バックライト蛍光灯固定ユニットの鳥瞰図である。
【符号の説明】
【００２９】
１０    固定ユニット
２０    蓋
２３    上部板
２１    第１側面板
２２    第２側面板
２５    格板
２７    圧着板
２８    突起
２９    切開口
３０    導電性ベース
３１    基底板
３３    側面フレーム
４０    接触端子
４１    接触溝
４３    切開線
４５    案内板
【図１】
2008210807.tif 000003
【図２】
2008210807.tif 000004
【図３】
2008210807.tif 000005
【図４】
2008210807.tif 000006
【図５】
2008210807.tif 000007
【図６】
2008210807.tif 000008
【図７】
2008210807.tif 000009
【図８】
2008210807.tif 000010
【図９】
2008210807.tif 000011
【図１０】
2008210807.tif 000012